(57)【要約】【課題】写真処理装置において、装置コストの上昇を可及的に抑制しながら、処理能力の向上とオペレータの作業負荷の軽減とを図る。【解決手段】フィルム画像読取り装置ＦＲにて読取った画像データを、汎用コンピュータシステム４にて設定した補正処理条件によって、画像処理専用装置５に補正処理させ、その補正処理後の画像データで画像出力装置に出力処理させる写真処理装置において、フィルム画像読取り装置ＦＲにて読取られた画像データを前記汎用コンピュータシステム４へ送って記憶保持させ、前記汎用コンピュータシステムは、フィルム画像読取り装置ＦＲから受け取った画像データの縮小画像を生成して、モニタに表示するように構成され、前記汎用コンピュータシステム４において前記補正処理条件が確定した画像の画像データを画像処理専用装置５へ送って補正処理させるように構成されている。【選択図】図２
2006166180.tif 000002
【特許請求の範囲】
【請求項１】
写真フィルムの画像を読取るフィルム画像読取り装置と、そのフィルム画像読取り装置にて読取った画像データを補正処理する画像処理専用装置と、その画像処理専用装置による画像データの補正処理条件を各画像毎に設定するために、前記フィルム画像読取り装置にて読取った画像の縮小画像をモニタに表示させて前記補正処理条件の入力操作を受け付ける処理を実行する汎用コンピュータシステムと、前記画像処理専用装置にて補正処理された画像データを出力処理する画像出力装置とが設けられた写真処理装置であって、
前記フィルム画像読取り装置にて読取られた画像データを前記汎用コンピュータシステムへ送って記憶保持させ、
前記汎用コンピュータシステムは、前記フィルム画像読取り装置から受け取った画像データの縮小画像を生成して、前記モニタに表示するように構成され、
前記汎用コンピュータシステムにおいて前記補正処理条件が確定した画像の画像データを前記画像処理専用装置へ送って補正処理させるように構成されている写真処理装置。
【請求項２】
前記汎用コンピュータシステムは、前記補正処理条件が確定した画像について、前記フィルム画像読取り装置から送られてきた画像データから設定エリアの画像データを切り出して前記画像処理専用装置へ送るように構成されている請求項１記載の写真処理装置。
【請求項３】
前記汎用コンピュータシステムは、前記フィルム画像読取り装置から送られてきた画像データをハードディスク装置に記憶保持するように構成されている請求項１又は２記載の写真処理装置。
【請求項４】
前記汎用コンピュータシステムは、前記フィルム読取り装置に写真フィルムの読取り動作を行わせるための処理動作と、前記補正処理条件の設定のための処理動作とを並行して実行可能に構成されている請求項１〜３のいずれか１項に記載の写真処理装置。
【発明の詳細な説明】
【技術分野】
【０００１】
本発明は、写真フィルムの画像を読取るフィルム画像読取り装置と、そのフィルム画像読取り装置にて読取った画像データを補正処理する画像処理専用装置と、その画像処理専用装置による画像データの補正処理条件を各画像毎に設定するために、前記フィルム画像読取り装置にて読取った画像の縮小画像をモニタに表示させて前記補正処理条件の入力操作を受け付ける処理を実行する汎用コンピュータシステムと、前記画像処理専用装置にて補正処理された画像データを出力処理する画像出力装置とが設けられた写真処理装置に関する。
【背景技術】
【０００２】
かかる写真処理装置では、写真フィルムの画像をフィルム画像読取り装置にて高解像度で読取って、その読取った写真フィルムの画像の画像データを画像処理専用装置にて高品質の画像データに補正処理して、例えばプリント装置等の画像出力装置にて出力処理させる。
この画像処理専用装置による画像の補正処理は、その補正処理条件を自動的に決定してしまうことも可能であるが、オペレータがモニタにて画像を確認して前記補正処理条件を手動で入力操作できるようにして、画像処理専用装置による補正処理がより最適なものとなるようにしている。
このような処理のための装置構成として、フィルム画像読取り装置にて読取った画像サイズの大きい画像データを高速に補正処理できるように、画像の補正処理自体は、その補正処理を実行する専用の処理装置を備えると共に、その補正処理の補正処理条件をオペレータが確定するための作業は、フィルム画像読取り装置にて読取った画像の縮小画像を処理対象として処理負荷を軽減し、例えばパーソナルコンピュータのような実行プログラムの変更で各種の処理を行わせることができる汎用コンピュータシステムを利用することがよく行われている。
【０００３】
ところで、フィルム画像読取り装置による写真フィルムの読取り態様としては、従来、下記特許文献１に記載のように、プレスキャン及び本スキャンの２回の読取り動作（以下において、「２回スキャン」と称する）を行う形式と、本スキャン１回だけの読取り動作（以下において、「１回スキャン」と称する）を行う形式とがある。
２回スキャンあるいは１回スキャンと前記補正処理条件の確定作業との関連について簡単に説明すると、２回スキャンの場合では、通常、まずプレスキャンとして、本スキャンに比べて粗い読取り解像度で写真フィルムの画像を読取り、その画像サイズの小さい読取り画像データを前記汎用コンピュータシステムに送ってモニタに表示させることで、オペレータが前記補正処理条件を確定する作業を行い、その後に、その補正処理条件が確定した画像について高い読取り解像度の本スキャンにて写真フィルムの読取りを行って、その本スキャンによって得られた画像データを画像処理専用装置にて補正処理して、例えばプリント装置等の画像出力装置にて出力処理させる。
【０００４】
一方、１回スキャンの場合では、フィルム画像読取り装置において、いきなり高い解像度の本スキャンにて写真フィルムの画像を読取り、その読取った画像データを画像処理専用装置のメモリへ書込む。
画像処理専用装置は、フィルム画像読取り装置から受け取った画像の縮小画像を生成して、その縮小画像を前記汎用コンピュータシステムへ送り、この縮小画像を受け取った前記汎用コンピュータシステムは、その縮小画像を利用してモニタに画像表示させて、オペレータによる前記補正処理条件の確定作業を行う。
その補正処理条件が確定すると、確定した補正処理条件は画像処理専用装置へ送られ、画像処理専用装置はそれのメモリに記憶保存されている画像データを読出して、前記補正処理条件にて補正処理し、例えばプリント装置等の画像出力装置にて出力処理させる。
【特許文献１】特開２０００−１８４１９１号公報
【発明の開示】
【発明が解決しようとする課題】
【０００５】
しかしながら、上記従来構成では、システム全体の処理能力の向上やオペレータの作業負荷の軽減を重視すると装置コストが過度に上昇してしまう不都合があった。
以下に、その理由を説明する。
２回スキャンでは、画像処理専用装置は、本スキャンにて読取った各画像の画像データをフィルム画像読取り装置から順次に受け取って、その受け取った画像データを順次に補正処理していくため、フィルム画像読取り装置から受け取った画像サイズの大きい画像データを記憶保持するためのメモリ容量を少なくすることができ、装置コストを抑制できる反面、１本の写真フィルムについてプレスキャンと本スキャンとが完了するまで次の写真フィルムの処理に移行できず、システム全体として処理能力をそれほど大きくできない。
これに対して、１回スキャンでは、画像処理専用装置に写真フィルム２本分の記憶容量を有するメモリを備えて、一方のメモリエリアに記憶保存されている先行の写真フィルムの画像データに対する処理操作を実行すると共に、他方のメモリエリアに後続の写真フィルムの画像データを取込むことで、処理過程をずらせた状態で２本分の写真フィルムを並行して処理することが可能となり、作業効率を上げてシステム全体の処理能力を大きくすることができる。
但し、画像処理専用装置に写真フィルム２本分の大容量のメモリが必要となり、この種の装置では一般に高価なメモリを必要とすることもあって、装置コストが上昇してしまうことになる。
【０００６】
更に、画像処理専用装置に写真フィルム２本分のメモリを備えた状態の１回スキャンでは、オペレータは、前記補正処理条件を確定する作業と、その確定作業完了したときに、更に後続の写真フィルムをフィルム画像読取り装置にセットして本スキャンを開始させる作業とを交互に行うが、この写真フィルムをフィルム画像読取り装置にセットして本スキャンを開始させる作業は、複数本の写真フィルムについて連続して行えるようにした方がオペレータの作業上の都合が良く作業負担を小さくできる場合が少なくない。
ところが、このような処理を実現しようとすると、画像処理専用装置に高価なメモリを大量に増設する必要が生じる。
本発明は、かかる実情に鑑みてなされたものであって、その目的は、写真処理装置において、装置コストの上昇を可及的に抑制しながら、処理能力の向上とオペレータの作業負荷の軽減とを図る点にある。
【課題を解決するための手段】
【０００７】
本出願の第１の発明は、写真フィルムの画像を読取るフィルム画像読取り装置と、そのフィルム画像読取り装置にて読取った画像データを補正処理する画像処理専用装置と、その画像処理専用装置による画像データの補正処理条件を各画像毎に設定するために、前記フィルム画像読取り装置にて読取った画像の縮小画像をモニタに表示させて前記補正処理条件の入力操作を受け付ける処理を実行する汎用コンピュータシステムと、前記画像処理専用装置にて補正処理された画像データを出力処理する画像出力装置とが設けられた写真処理装置において、前記フィルム画像読取り装置にて読取られた画像データを前記汎用コンピュータシステムへ送って記憶保持させ、前記汎用コンピュータシステムは、前記フィルム画像読取り装置から受け取った画像データの縮小画像を生成して、前記モニタに表示するように構成され、前記汎用コンピュータシステムにおいて前記補正処理条件が確定した画像の画像データを前記画像処理専用装置へ送って補正処理させるように構成されている。
【０００８】
すなわち、画像処理専用装置での補正処理の対象となるフィルム画像読取り装置の読取り画像データを、画像処理専用装置のメモリではなく、例えばパーソナルコンピュータ等の汎用コンピュータシステムへ送って記憶保持させる。
汎用コンピュータシステムでは、搭載装置部品の低価格化が進んでおり、大量のデータを低コストで記憶保持できるようになってきている。
従って、フィルム画像読取り装置にて読取った多数本の画像データを記憶保持させても、そのために必要となる装置コストは低コストに抑制できる。
更に、画像処理専用装置に備えるメモリの容量は、上記２回スキャンのために必要となるメモリ容量にまで小さくすることが可能であり、その点でも低コスト化に寄与できる。
しかも、前記補正処理条件の確定のために表示させる縮小画像の基となる画像を汎用コンピュータシステム自信が保持しているので、従来の１回スキャンの場合のように画像処理専用装置が縮小画像を生成して汎用コンピュータシステムに送る場合に比べて、別個の装置間の縮小画像のデータ転送処理を省略できて、処理能力の向上に寄与する。
汎用コンピュータシステムは、新たに縮小画像の生成処理を担当することになるが、近年の汎用コンピュータシステムの性能向上もあって、処理能力の低下を十分に抑制できる。
【０００９】
又、本出願の第２の発明は、上記第１の発明の構成に加えて、前記汎用コンピュータシステムは、前記補正処理条件が確定した画像について、前記フィルム画像読取り装置から送られてきた画像データから設定エリアの画像データを切り出して前記画像処理専用装置へ送るように構成されている。
すなわち、前記補正処理条件の確定した画像の画像データを汎用コンピュータシステムから画像処理専用装置へ送る際には、実際にプリント等に使用する設定エリアの画像データを元の画像データから切り出して送るのであるが、汎用コンピュータシステムには、切り出す前の元の画像データが残されているため、画像出力装置にて出力処理した画像の仕上がりに何らかの不具合があったような場合、汎用コンピュータシステムに残されている元の画像データを使用して、前記設定エリアの画像データの切り出しからやり直すことができる。
【００１０】
又、本出願の第３の発明は、上記第１又は第２の発明の構成に加えて、前記汎用コンピュータシステムは、前記フィルム画像読取り装置から送られてきた画像データをハードディスク装置に記憶保持するように構成されている。
すなわち、汎用コンピュータシステムに搭載されるハードディスク装置は、近年の大容量化と低価格化とが極めて顕著であり、大量の本数の写真フィルムの読取り画像データを極めて低コストで記憶保存させることができる。
【００１１】
又、本出願の第４の発明は、上記第１〜第３のいずれかの発明の構成に加えて、前記汎用コンピュータシステムは、前記フィルム読取り装置に写真フィルムの読取り動作を行わせるための処理動作と、前記補正処理条件の設定のための処理動作とを並行して実行可能に構成されている。
従って、写真フィルムの読取り作業と、前記補正処理条件の設定作業とを適宜のタイミングで行うことができる。
【発明の効果】
【００１２】
上記第１の発明によれば、多数本の写真フィルムの読取り画像データを低コストで記憶保持させることができ、オペレータが随時のタイミングで前記補正処理条件の確定作業や写真フィルムの装填作業を行うことができるので、写真処理装置において、装置コストの上昇を可及的に抑制しながら、処理能力の向上とオペレータの作業負荷の軽減とを図ることができる。
又、上記第２の発明によれば、画像出力装置にて出力処理した画像の仕上がりに何らかの不具合があったような場合に、汎用コンピュータシステムに残されている元の画像データを使用して、出力処理する画像データの切り出しからやり直すことができるので、写真処理装置を一層便利なものにすることができる。
又、上記第３の発明によれば、大量の本数の写真フィルムの画像を低コストで記憶保持できるので、より一層、装置コストの抑制とオペレータの作業負荷の軽減とを図ることができる。
又、上記第４の発明によれば、写真フィルムの読取り作業と、前記補正処理条件の設定作業とを適宜のタイミングで行うことができるので、写真処理装置を一層便利なものとすることができる。
【発明を実施するための最良の形態】
【００１３】
以下、本発明の写真処理装置を写真プリントシステムとして構成した場合の実施の形態を図面に基づいて説明する。
本実施の形態で例示する写真プリントシステムＤＰは、いわゆるデジタルミニラボ機として知られているシステムであり、画像データを写真プリントとして出力処理する画像出力装置ＩＣであるプリント装置ＥＰと、各種のソースから画像データを取込んでプリント装置ＥＰへ送る画像データを生成する画像入力装置ＩＲとを主要部として構成されている。
【００１４】
〔画像入力装置ＩＲの概略構成〕
画像入力装置ＩＲには、図２に概略的に示すように、写真フィルムの画像を読み取るフィルム画像読取り装置ＦＲであるフィルムスキャナ３と、汎用コンピュータシステム（より具体的にはパーソナルコンピュータ）にて構成される主制御装置４と、フィルムスキャナ３から入力された写真プリント作製用の画像データを補正処理する画像処理専用装置５とが備えられ、主制御装置４には、仕上がりプリント画像をシミュレートしたシミュレート画像や各種の制御用の情報を表示するモニタ４ａと、操作卓４ｂと、マウス４ｃとが接続されている。操作卓４ｂ及びマウス４ｃは、各種の制御情報の入力操作の他、画像処理専用装置５による補正処理条件を入力操作する入力操作手段としての機能も備えている。
尚、図示を省略しているが、主制御装置４には、ＣＤ−Ｒ／ＲＷドライブやメモリーカードリーダ／ライタ等の各種のドライブを備えて、それらが対応する記録媒体から画像データを取込んでプリント装置ＥＰにてプリント処理させたり、プリント処理させた画像データを記録媒体に記録して顧客に提供することができるように構成されている。
【００１５】
〔画像処理専用装置５の概略構成〕
画像処理専用装置５は、フィルムスキャナ３にて読取った画像データに基づいてプリント装置ＥＰにてプリント処理させたときに高品質なプリント画像が得られるように補正処理するための専用の処理装置である。
画像処理専用装置５には、図１に示すように、主制御装置４から送られてきた画像データを一時的に記憶保持する入力バッファメモリ２１と、入力バッファメモリ２１から読み込んだサイズの大きい画像データに対して高速に補正処理を行う補正処理回路２２と、補正処理回路２２にて補正処理が完了した画像データを一時的に記憶保持する出力バッファメモリ２３とが備えられる他、主制御装置４とデータ通信を行うための送受信インターフェース２４、及び、フィルムスキャナ３から送られてきた画像データを主制御装置４に転送するための送受信インターフェース２５が備えられている。
主制御装置４側では、送受信インターフェース２５と通信するために、通信用拡張基板３１が主制御装置４の本体基板３２に取り付けられている。
通信用拡張基板３１上には、画像処理専用装置５側の送受信インターフェース２５とデータ通信するための送受信インターフェース４１と、送受信インターフェース４１を介して入力された画像データを記憶する画像データ受信用の受信メモリ４２とが備えられている。
【００１６】
〔プリント装置ＥＰの全体構成〕
プリント装置ＥＰは、図２に示すように、筐体内部に、画像形成装置ＥＸと、画像形成装置ＥＸにて画像が露光形成された印画紙２を現像処理する現像処理装置ＰＰと、筐体上部側に設置された印画紙マガジン６から引き出された印画紙２を多数の搬送ローラ９等にて現像処理装置ＰＰへ搬送する印画紙搬送系ＰＴとが設けられている。
図示を省略するが、プリント装置ＥＰの筐体外部には、現像処理装置ＰＰにて現像処理及び乾燥処理された印画紙２をオーダ毎に分類するためのソータが備えられており、現像処理装置ＰＰから排出された印画紙２をそのソータへ搬送するためにコンベア８が配置されている。
更に、印画紙搬送系ＰＴの搬送経路の途中には、印画紙マガジン６から引き出された長尺の印画紙２を設定プリントサイズに切断するカッタ１０が備えられている。
【００１７】
〔画像形成装置ＥＸの構成〕
画像形成装置ＥＸは、印画紙２上に露光画像を形成する画像形成ヘッド１３と、画像形成ヘッド１３を制御する露光制御装置１４とを主要部として構成されている。
画像形成ヘッド１３は、設定プリントサイズに切断された印画紙２の搬送経路の途中箇所を画像形成位置とするように取り付けられ、その画像形成位置において印画紙搬送方向（副走査方向）と直交する方向（主走査方向）でレーザビームを走査する。
画像形成ヘッド１３から出射されるレーザビームは、露光制御装置１４の制御によって、画像処理専用装置５から入力された画像データに基づいて強度変調されている。
印画紙搬送系ＰＴにて搬送駆動される印画紙２に対して上述のように強度変調されたレーザビームが走査されることで、印画紙２上に画像が露光形成され、それが現像処理装置ＰＰにて現像処理されると写真プリントとして仕上がる。
【００１８】
〔基本的なプリント動作〕
上記構成の写真プリントシステムＤＰによる基本的なプリント動作を、写真フィルムの読取り画像データに基づいて写真プリントを作製する場合について概説する。
写真フィルムの駒画像によって写真プリントを作製する際の処理過程は、写真フィルムの画像の読取り、読取った画像の画像処理専用装置５による補正処理条件の設定、確定した補正処理条件での画像データの補正処理、及び、プリント装置ＥＰによるプリント処理に大別できる。
このうち、写真フィルムの読取りと読取った画像の補正処理条件の設定とは、主制御装置４の直接の管理下で実行される。
オペレータの作業としては、通常、写真フィルムの読取り作業と画像の補正処理条件の設定作業とは交互に実行されるが、本実施の形態では、写真フィルムの読取り作業と画像の補正処理条件の設定作業とをオペレータの都合に合わせて随時のタイミングで行えるようにしている。
【００１９】
このため、主制御装置４は、写真フィルムの読取りと読取った画像の補正処理条件の設定とに関する処理を一連の処理フローに組み込むのではなく、２つの独立した処理として実行できるように組み込んでおり、フィルムスキャナ３に写真フィルムの読取り動作を行わせるための処理動作と、補正処理条件の設定のための処理動作とを並行して実行可能に構成されている。
具体的には、主制御装置４は、図３に「フィルム読取り処理」として示すフローチャートのプログラムと図４に「プリント処理」として示すフローチャートのプログラムとが独立に並行して実行できるように組み込まれている。
図３の処理は写真フィルムの読取りを担当し、図４の処理は画像の補正処理条件の設定以降を担当している。
【００２０】
先ず、図３の処理について説明する。
写真フィルムの読取り作業は、画像の補正処理条件の設定作業の進捗状況に拘わらず、随時に開始することができ、操作卓４ｂ等から写真フィルムの読取りを指示入力すると（ステップ＃１）、既に読取った写真フィルムの本数の積算値が予め設定されている許容値内か否かを確認し（ステップ＃２）、フィルムスキャナ３へ写真フィルムの読取り指令を送信する（ステップ＃３）。尚、この読取り本数の積算値の許容値は、読取った画像データを記憶保存する主制御装置４のハードディスク装置３３の記憶容量に基づいて設定され、数百本程度にまで設定することも可能である。
上記の読取り指令を受け取ったフィルムスキャナ３は、所定の位置に写真フィルムが装填されるに伴って、写真フィルムの読取りを開始し、読取った画像データを順次に画像処理専用装置５へ送っていく。
【００２１】
フィルムスキャナ３から送り出された画像データは、画像処理専用装置５の送受信インターフェース２４，２５を経て主制御装置４に送り込まれ、主制御装置４はこの画像データを受け取ると（ステップ＃５）、それをハードディスク装置３３へ記憶保存して行く（ステップ＃６）。この操作を１オーダーについてすなわちフィルム１本分について完了するまで繰り返す（ステップ＃７）。
ステップ＃２において読取り本数の許容値を超えたときは、不要となったオーダーの画像データを削除すべき旨の案内をモニタ４ａに表示する（ステップ＃３）。
この案内表示を確認したオペレータは、ハードディスク装置３３に記憶保存されている画像データの削除を操作卓４ｂ等からの指示することができる。
この指示入力を行うと（ステップ＃８）、オーダー単位で削除対象をして画像データを削除できる（ステップ＃９）。
図３の処理において、操作卓４ｂ等から処理の終了を指示入力する（ステップ＃１０）までは、多数本の写真フィルムについて、読取り動作を繰り返し行うことができる。
【００２２】
次に、図４の処理について説明する。
図示を省略する初期画面がモニタ４ａに表示された状態で、プリント処理するオーダーを指定してプリント処理の開始を指示すると、図４の処理が起動する。
先ず、指定されたオーダーの画像データをハードディスク装置３３から６駒分読出して縮小画像を作製する（ステップ＃２１）。
この縮小画像を用いて、図５に例示するような補正入力画面をモニタ４ａに表示させる（ステップ＃２２）。
図５の補正入力画面では、作製した縮小画像に所定の処理条件で補正処理を実行した画像をＳ１〜Ｓ６の６つ縮小画像表示エリアに表示すると共に、各縮小画像表示エリアに対応して、その画像の色補正を指示入力するための色補正値入力欄５１を表示し、更に、表示された６駒についてプリントの開始を指令するスタートボタン表示５２等が表示される。すなわち、画像処理専用装置５による画像データの補正処理条件を各画像毎に設定するために、フィルムスキャナ３にて読取った画像の縮小画像をモニタ４ａに表示させて前記補正処理条件の入力操作を受け付けるように構成しており、補正処理条件として各画像の色補正の条件を例示している。
【００２３】
Ｓ１〜Ｓ６の６つ縮小画像表示エリアに表示される画像に適用される補正処理の処理条件は、フィルムスキャナ３にセットされた写真フィルムの種類に対して予め設定されている処理条件であり、画像処理専用装置５において実行されるものと同等の補正処理を縮小画像に対して実行している。これによって、Ｓ１〜Ｓ６の６つ縮小画像表示エリアには、仕上がりプリントをシミュレートしたシミュレート画像が表示されることになっている。
このように画像処理専用装置５と同様の補正処理を行っても、処理対象の画像データの画像サイズが小さいので、主制御装置４にとってもそれほど大きな処理負担とはならない。
これらＳ１〜Ｓ６の６つ縮小画像表示エリアには、各駒画像の表示に重ね合わる状態で、実際にプリント出力される画像の範囲（プリントエリア）を示すプリント枠５３を表示している。
【００２４】
図２の補正入力画面上で、いずれかの画像を選択した状態で、操作卓４ｂから色補正値を入力操作すると（ステップ＃２３）、選択した画像の色補正値入力欄５１の表示値がその入力値に更新される（ステップ＃２４）。
又、図２の補正入力画面上で、プリント枠５３をマウス４ｃによって移動操作すると（ステップ＃２５）、対象画像について記憶保持しているプリント範囲特定のための位置データを移動操作後のプリント枠５３の位置データによって更新する（ステップ＃２６）。
このような操作を、画面上の６駒について全て完了して、マウス４ｃ等にてスタートボタン表示５２を操作すると（ステップ＃２７）、表示されている各画像についての補正処理条件が確定することになり、各画像について、ハードディスク装置３３に記憶保存されているフィルムスキャナ３の読取り画像データ（補正処理前のオリジナルの画像データ）からプリント枠５３の位置によって指定されたプリントエリアの画像データを切り出して（ステップ＃２８）、色補正値入力欄５１の入力値の情報と共に画像処理専用装置５へ送り、プリント処理させるように指示する（ステップ＃３９）。
この後、１オーダーの画像について全て完了するまで（ステップ＃３０）、後続の６駒について上述の操作を繰り返す。
【００２５】
画像処理専用装置５では、プリント枠５３に従って切り出された画像データは入力バッファメモリ２１へ入力され、色補正値入力欄５１の入力値は補正処理回路２２へ入力される。
これに伴って、画像処理専用装置５は、入力バッファメモリ２１の画像データを読出して補正処理回路２２による補正処理を各画像毎の補正処理条件で開始し、補正処理の完了した画像データは出力バッファメモリ２３へ書込まれ、更に、プリント装置ＥＰへ送られて印画紙２へプリント処理される。
オペレータは、このようにしてプリント処理されてコンベア８上に排出された写真プリントを観察して、もし所望の品質に仕上がっていなければ、図４の処理を再度起動させて、プリント枠５３の位置設定も含めて、全く初期の状態から補正処理条件の設定をやり直して、写真プリントを再作製することができる。
１オーダーの画像全てについて所望の写真プリントが得られたときは、図３の処理によってそのオーダーの画像データをハードディスク装置３３から削除すれば良い。
【００２６】
〔別実施形態〕
以下、本発明の別実施形態を列記する。
（１）上記実施の形態では、フィルムスキャナ３にて読取った画像データを主制御装置４のハードディスク装置３３に記憶保存する場合を例示しているが、汎用コンピュータシステムである主制御装置４に備えた安価な半導体メモリに、フィルムスキャナ３の読取り画像データを記憶保存するように構成しても良い。
（２）上記実施の形態では、フィルムスキャナ３にて読取った画像データを、画像処理専用装置５を経由して主制御装置４へ送るように構成しているが、フィルムスキャナ３から主制御装置４へ直接に画像データを送るように接続しても良い。
（３）上記実施の形態では、プリント装置ＥＰとしてレーザビーム露光式のプリント装置ＥＰを例示しているが、ＰＬＺＴ光シャッタ方式等の他の露光形式のプリント装置を用いても良いし、更には、インクジェットプリント方式等の露光によらないプリント形式のプリント装置を用いても良い。
（４）上記実施の形態では、画像処理専用装置５にて実行される補正処理として、画像の色補正を例示しているが、シャープネス補正やコントラスト補正等の各種の補正処理を行わせることもできる。
（５）上記実施の形態では、画像処理専用装置５にて補正処理された画像データを出力処理する画像出力装置ＩＣとしてプリント装置ＥＰを例示しているが、例えば、画像処理専用装置５にて補正処理された画像データを各種の記録媒体に書込み処理する各種の書込み装置を画像出力装置ＩＣとして用いる等、画像出力装置ＩＣの出力形態は種々に変更可能である。
【図面の簡単な説明】
【００２７】
【図１】本発明の実施の形態にかかる要部ブロック構成図
【図２】本発明の実施の形態にかかる写真プリントシステムの概略構成図
【図３】本発明の実施の形態にかかるフローチャート
【図４】本発明の実施の形態にかかるフローチャート
【図５】本発明の実施の形態にかかるモニタの画面表示例を示す図
【符号の説明】
【００２８】
ＦＲ  フィルム画像読取り装置
ＩＣ  画像出力装置
４    汎用コンピュータシステム
４ａ  モニタ
５    画像処理専用装置
３３  ハードディスク装置
【図１】
2006166180.tif 000003
【図２】
2006166180.tif 000004
【図３】
2006166180.tif 000005
【図４】
2006166180.tif 000006
【図５】
2006166180.tif 000007